(57)【特許請求の範囲】
【請求項１】
前脚フレームおよび後脚フレームを前後に有する左右座部フレームと、該左右座部フレームの内側に設けられた座クッションとを備え、積み重ね時に下段の椅子の左右座部フレームに当接するスペーサが前記左右座部フレームの下面に取り付けられた椅子において、
前記スペーサは、前記左右座部フレームの前後の脚フレームにかからない略中央部の下面に当接して取付けられ、
前記スペーサの下面には、積み重ね時に下段の椅子の左右座部フレームの外周面に当接する当接面が形成され、
前記スペーサの外側又は内側のいずれか一方の側に、前記左右座部フレームの外側又は内側のいずれか一方の側に対向するように側方に張出して下向きに突出する突出縁部が形成され、
前記突出縁部の内面には、前記当接面から当該突出縁部の下端にかけて前記当接面に沿って拡開傾斜するテーパ面が形成されていることを特徴とする椅子。
【請求項２】
前記当接面は、下段の椅子の左右座部フレームの外周上面に沿って当接する湾曲凹部であることを特徴とする請求項１記載の椅子。
【請求項３】
前記スペーサは、前記左右座部フレームの下面に取り付けたときの前部と後部の高さが均一であり、積み重ね時に上下の前記左右座部フレームは平行に保持されることを特徴とする請求項１又は２記載の椅子。
【請求項４】
前記スペーサは、前記左右座部フレームの下面に取り付けたときの前部の高さが後部の高さより大きい構成であり、積み重ね時に上下の前記左右座部フレームは前上がりに保持されることを特徴とする請求項１又は２記載の椅子。
【請求項５】
前記スペーサの上面に、前記左右座部フレームへの取り付け時に、前記左右座部フレームの下面の平坦面に当接する平坦面が形成されたことを特徴とする請求項１ないし４のいずれかに記載の椅子。
【発明の詳細な説明】
【技術分野】
【０００１】
本発明は、上下に積み重ね（スタッキング）できる椅子に関するものである。
【背景技術】
【０００２】
骨組みを金属パイプや棒材で構成した背もたれ付き椅子は、オフィス、店舗、各種施設等で広く使用されているが、この種の椅子は不使用時には倉庫等に保管しておくことも多く、そこで、上下に積み重ねできるようになっているスタッキング椅子も広く採用されている。このようなスタッキング椅子におけるスタッキング構造も種々のタイプのものが提案されている。例えば、特許文献１の図１には、座部フレームを構成する左右の支持杆の下部にスペーサを設けた椅子が開示されている。また、特許文献２には、下段の椅子の上部杆の上に、上段の椅子の補強杆を重ね合わす構造であって、この補強杆の下面にはスペーサとなる保護部材が設けられ、重ね合わせ時に上段の椅子と下段の椅子の各々の補強杆の間にこの保護部材を介在させた椅子が開示されている。
【先行技術文献】
【特許文献】
【０００３】
【特許文献１】特開２００１−１２８７８２号公報
【特許文献１】特開平３−２３８１１号公報
【発明の概要】
【発明が解決しようとする課題】
【０００４】
一般に、椅子の積み重ねは、人手で行うため正確に位置合わせをしながら行うことは困難であり、大体の目安をつけて積み重ねていくことが多い。その場合、スペーサが確実に下段の椅子の左右フレームに載るとは限らず、左右にずれて不安定な状態で積み重ねられてしまうことがしばしばあり、その場合は多数の椅子を積み重ねると崩れる危険があった。
【０００５】
本発明は、上記課題を解決するもので、椅子が多少ずれて積み重ねられても、自重により正常な位置に復帰させ得るようにして、積み重ね時の崩れを防止した椅子を提供することを目的とする。
【課題を解決するための手段】
【０００６】
上記目的を達成するため、請求項１記載の椅子は、前脚フレームおよび後脚フレームを前後に有する左右座部フレームと、該左右座部フレームの内側に設けられた座クッションとを備え、積み重ね時に下段の椅子の左右座部フレームに当接するスペーサが前記左右座部フレームの下面に取り付けられた椅子において、
前記スペーサは、前記左右座部フレームの前後の脚フレームにかからない略中央部の下面に当接して取付けられ、
前記スペーサの下面には、積み重ね時に下段の椅子の左右座部フレームの外周面に当接する当接面が形成され、
前記スペーサの外側又は内側のいずれか一方の側に、前記左右座部フレームの外側又は内側のいずれか一方の側に対向するように側方に張出して下向きに突出する突出縁部が形成され、
前記突出縁部の内面には、前記当接面から当該突出縁部の下端にかけて前記当接面に沿って拡開傾斜するテーパ面が形成されていることを特徴とする。
【０００７】
請求項２記載の椅子は、請求項１記載の椅子であって、前記当接面は、下段の椅子の左右座部フレームの外周上面に沿って当接する湾曲凹部であることを特徴とする。
【０００８】
請求項３記載の椅子は、請求項１又は２記載の椅子であって、前記スペーサは、前記左右座部フレームの下面に取り付けたときの前部と後部の高さが均一であり、積み重ね時に上下の前記左右座部フレームは平行に保持されることを特徴とする。
【０００９】
請求項４記載の椅子は、請求項１又は２記載の椅子であって、前記スペーサは、前記左右座部フレームの下面に取り付けたときの前部の高さが後部の高さより大きい構成であり、積み重ね時に上下の前記左右座部フレームは前上がりに保持されることを特徴とする。
【００１０】
請求項５記載の椅子は、請求項１ないし４のいずれかに記載の椅子であって、前記スペーサの上面に、前記左右座部フレームへの取り付け時に、前記左右座部フレームの下面の平坦面に当接する平坦面が形成されたことを特徴とする。
【発明の効果】
【００１１】
本発明によれば、椅子のスペーサが多少ずれて積み重ねられても、スペーサの誘導作用により自動的に正常な位置に復帰させることができ、積み重ね時の椅子の崩れを防止することができる。
【図面の簡単な説明】
【００１２】
【図１】本発明の第１実施形態の椅子を示す前方斜視図である。
【図２】第１実施形態の椅子を示す後方斜視図である。
【図３】第１実施形態の椅子を示す正面図である。
【図４】第１実施形態の椅子を示す側面図である。
【図５】第１実施形態の椅子を示す平面図である。
【図６】第１実施形態の椅子を示す底面図である。
【図７】図４のＡ−Ａ線断面図である。
【図８】第１実施形態のスペーサの側面図である。
【図９】第１実施形態のスペーサの平面図ある。
【図１０】図９のＢ−Ｂ線断面図である。
【図１１】図８の右側面図である。
【図１２】図８のＣ−Ｃ線断面図である。
【図１３】第１実施形態の椅子の積み重ね時の正面図である。
【図１４】第１実施形態の椅子の積み重ね時の側面図である。
【図１５】本発明の第２実施形態の椅子を示す前方斜視図である。
【図１６】第２実施形態の椅子を示す後方斜視図である。
【図１７】第２実施形態の椅子を示す正面図である。
【図１８】第２実施形態の椅子を示す側面図である。
【図１９】図１８のＤ−Ｄ線断面図である。
【図２０】第２実施形態のスペーサの側面図である。
【図２１】第２実施形態のスペーサの平面図ある。
【図２２】図２１のＥ−Ｅ線断面図である。
【図２３】図２０の右側面図である。
【図２４】図２０のＦ−Ｆ線断面図である。
【図２５】第２実施形態の椅子の積み重ね時の正面図である。
【図２６】第２実施形態の椅子の積み重ね時の側面図である。
【図２７】第２実施形態の椅子のスペーサによる誘導動作を示す説明図である。
【図２８】従来の椅子のスペーサの動作を示す説明図である。
【発明を実施するための形態】
【００１３】
以下、本発明の実施形態を図面に基づいて説明する。
図１〜図７は、本発明の第１実施形態の椅子を示すもので、図１は前方斜視図、図２は後方斜視図、図３は正面図、図４は側面図、図５は平面図、図６は底面図、図７は、図４のＡ―Ａ線断面図である。
【００１４】
椅子１は、スチールパイプからなる本体フレーム２を備えている。この本体フレーム２は、一対の後脚フレーム３と、この後脚フレーム３から上部に突出する背もたれフレーム４と、後脚フレーム３の上端部から前方に延出する左右座部フレーム５と、この左右座部フレーム５の前端から下方に折曲されて形成された前脚フレーム６とを備えている。背もたれフレーム４の上端には、背もたれ７が、その両側に設けられた嵌合部８を背もたれフレーム４の上端に嵌合させることにより、取り付けられている。背もたれ７には前方に突出するひじ掛け９が一体に設けられている。
【００１５】
後脚フレーム３は、図３に示すように、ハ字状に左右に傾斜するとともに、若干前方に傾斜し、かつ、図４に示すように、前脚フレーム６は若干後方に傾斜している。また、図２、図６に示すように、左右座部フレーム５は、後脚フレーム３から内方向への湾曲部５aを介して前方に延出しており、これにより、前脚フレーム６の先端（着床部）間の寸法Ｌ１は、後脚フレーム３の先端（着床部）間の寸法Ｌ２より若干小さくなっている。
【００１６】
図６に示すように、左右座部フレーム５の内側前後には、前座部フレーム１０および後座部フレーム１１が設けられ、また、左右座部フレーム５の内面に沿って座受け部材１２が設けられている。これら前座部フレーム１０、後座部フレーム１１、座受け部材１２の上に座クッション１３が取り付けられている。以下に詳述するように、左右座部フレーム５の下面には合成樹脂製のスペーサ１４が取り付けられている。
【００１７】
図８は、スペーサ１４の側面図、図９は、スペーサ１４の平面図、図１０は、図９のＢ−Ｂ線断面図である。
【００１８】
スペーサ１４は、本体部１５の上部に凹溝１６を有し、両端にテーパ部１７を有する略舟形状である。凹溝１６の中央に円柱状の突起１８が形成され、その前後には補強桟１９が形成されている。本体部１５の両側上端縁にはリブ２０が形成されている。このリブ２０の内側の、本体部１５の前後端部の上面および補強桟１８の上面は平坦面２４となっている（図１１参照）。テーパ部１７には取付孔２５が形成されている。
【００１９】
図１１、図１２に示すように、スペーサ１４の本体部１５の下面には当接面２２が形成されている。さらに、本体部１５の下端の外側（左右座部フレーム５の外側に対応する部分：図１１、図１２の左側）に張出すとともに、内側の内端縁部１５aより長く下方に突出する突出縁部１５ｂが形成されている。すなわち、突出縁部１５ｂは、本体部１５の一側部に、左右座部フレーム５の外側に対向するように張出し、正面（図１１、図１２）から見て非対称の形状をなしている。これにより、当接面２２は内方（図１１、図１２の右方）が開放された形状となっている。また、この突出縁部１５ｂの内面は、上部が当接面２２に連続し、下端が外方向に拡開するテーパ面２２aの形状となっている。椅子を積み重ねた際、スペーサ１４の当接面２２および突出縁部１５ｂのテーパ面２２aは左右座部フレーム５の外周に当接している。
【００２０】
当接面２２は、図示の例では平坦面となっているが、後述する第２実施形態のように、当接面２２を湾曲凹部とするか、あるいは左右座部フレームの軸心の直上部分を頂点して両側に下り傾斜する傾斜面とすることも可能である。
【００２１】
図１１、図１２に示すように、本体部１５の前後端部の上面および補強桟１９の上面に形成された平坦面２４と、椅子１の左右座部フレーム５の下面形成された平坦面５aとを当接させる。そして、図１２に示すように、左右座部フレーム５に形成された孔２３に突起１８を挿入し、図１０に示すように、取付孔２５に挿入した止ねじ２６を左右座部フレーム５にねじ込むことにより、スペーサ１４を左右座部フレーム５に固着する。左右座部フレーム５の平坦面２５とスペーサの平坦面２４とが当接することにより、スペーサ１４の回り止めの機能を果たすようになっている。
【００２２】
図１３、図１４は、椅子１の積み重ね時の状態であって、最下段の椅子１Ａ上に次段の椅子１Ｂが、その上に次々段の椅子１Ｃが積み重ねられ、このようにして任意の複数の椅子が積み重ねられている。最下段の椅子１Ａの左右座部フレーム５に対して、次段の椅子１Ｂのスペーサ１４の当接面２２が当接して、次段の椅子１Ｂの左右座部フレーム５は持ち上げられている。次段の椅子１Ｂの後脚フレーム３および前脚フレーム６は、最下段の椅子１Ａの後脚フレーム３および前脚フレーム６に対して前方にずれており、かつ、次段の椅子１Ｂの背もたれ７の嵌合部８は、最下段の椅子１Ａのひじ掛け９の内側に入り、スペーサ１４による持ち上げにより、次段の椅子１Ｂの前脚フレーム６が下段の前脚フレーム６に対して若干の寸法だけ離れている。これにより、前脚フレーム６同士の干渉が避けられるようになっている。なお、スペーサ１４の作用の詳細については後述する。
【００２３】
図１５〜図２６は、本発明の第２実施形態を示すもので、キャスタ付きの椅子の例である。本体フレーム２の構成は第１実施形態と同一であるので、説明を省略する。後脚フレーム３および前脚フレーム６の下端部にはキャスタ３０が設けられている。左右座部フレーム５の下面には、第１実施形態とは異なる構造のスペーサ１４’が取り付けられている。
【００２４】
図２０は、スペーサ１４’の側面図、図２１は、スペーサ１４’の平面図、図２２は図２１のＥ−Ｅ線断面図である。
【００２５】
このスペーサ１４’は、上板部３１、下板部３２、前側部３３および後側部３４を備えた略舟形状の本体部４０を有し、前側部３３（図２０の左側）が後側部３４より垂直高さが大きくなっており、下板部３２の下面は上板部３１に対してテーパ面３５となっている。上板部３１の前後には取付孔３６が形成され、上板部３１の中央には割りピン状の突起３７が形成され、その前後には補強桟３８が形成されている。
【００２６】
図２３は、図２０の右側面図、図２４は、図２０のＦ−Ｆ線断面図である。
図２３、図２４に示すように、スペーサ１４’の本体部４０の下面には当接面４１が形成されている。さらに、本体部４０の下端の外側（左右座部フレーム５の外側に対応する部分：図２３、２４の左側）に張出すとともに、内側の内端縁部４０aより長く下方に突出する突出縁部４０ｂが形成されている。すなわち、突出縁部４０ｂは、本体部４０の一側部に、左右座部フレーム５の外側に対向するように張出し、正面（図２３、図２４）から見て非対称の形状をなしている。これにより、当接面４１は内方（図２３、図２４の右方）が開放された形状となっている。また、この突出縁部４０ｂの内面は、上部が当接面４１に連続し、下端が外方向に拡開するテーパ面４１aの形状となっている。当接面４１には適宜間隔をおいて補強リブ４２が設けられている。スペーサ１４’は、第１実施形態と同様にして左右座部フレーム５の下面に取り付けられる。スペーサ１４’は、第１実施形態と同様にして左右座部フレーム５の下面に取り付けられる。椅子を積み重ねた際、スペーサ１４’の当接面４１および突出縁部４０ｂのテーパ面４１aは左右座部フレーム５の上面および外側の外周面に当接している。
【００２７】
当接面４１は、図示の例では、左右座部フレーム５の外周面に沿う湾曲凹部となっているが、第１実施形態のように平坦面とするか、あるいは左右座部フレーム５の軸心の直上部分を頂点して両側に下り傾斜する傾斜面とすることも可能である。但し、当接面４１を湾曲凹部とすることにより、図２４に示すように、下部の左右座部フレーム５に当接させたとき、スペーサ１４’の下板部３２の弾性により内端縁部４０aが僅かに押し広げられ、これにより、スペーサ５を弾性力により包み込む状態となり、積み重ね時の椅子の崩れをより確実に防止することができる。
【００２８】
図２５、図２６は、椅子１の積み重ね状態を示している。スペーサ１４’は、前部が後部より高さが大きいため、左右座部フレーム５は前上がりに積み重ねされ、これに伴って前脚フレーム６も持ち上げられる。これにより、下段と上段の前脚フレーム６間の間隔が第１実施形態に比べて大きく広げられ、キャスタ３０が下段の前脚フレーム６と干渉することが防止される。
【００２９】
図２７は、スペーサ１４’の作用を示す説明図である。仮に、スペーサ１４’が、図２７（ａ）に示すように、突出縁部４０ｂが下段の左右座部フレーム５の中心（軸心を通る垂直線上）付近に載せられた場合、突出縁部４０ｂのテーパ面４１aの先端が左右座部フレーム５の外周面を滑るようにガイドされて、図２７（ｂ）のように突出縁部４０ｂが左右座部フレーム５の外側にはみ出した形となり、そのまま椅子を積み重ねると、スペーサ１４’のテーパ面４１aのガイド作用で逆方向（図の左方）に誘い込まれ、図２７（ｃ）のようにスペーサ１４’は、その当接面４１が左右座部フレーム５の正規の位置にセットされ、椅子がずれた状態で積み重ねされることが防止される。なお、図２７（ｃ）の正規の位置では、スペーサ１４’の一側部に非対称に張出した突出縁部４０ｂの内面のテーパ面４１aが下部の左右座部フレーム５の側部に当接すことにより、上下の左右座部フレーム５、５の軸心は垂直線上に保たれ、積み重ねた椅子が左右にずれることが防止される（図２４参照）。
【００３０】
なお、図２７では、第２実施形態のスペーサ１４’について述べたが、第１実施形態のスペーサ１４についても同じ原理で、椅子がずれた状態で積み重ねされることが防止される。第２実施形態のように、キャスタ付きの椅子の場合、上下の左右座部フレーム５の間隔を大きく取る必要上、スペーサ１４’の高さが大きくなるため、椅子がずれた状態で積み重ねされやすいので、本発明のスペーサ１４’を用いる効果はより大きい。
【００３１】
図２８は、突出縁部のない従来のスペーサ１４０１についての動作を示す図である。仮に、スペーサ１４０１が、図２８（ａ）に示すように、左右座部フレーム５の中心付近に載せられた場合、図２８（ｂ）のようにスペーサ１４０１には左右座部フレームの内側（クッション側）に移動しようとする力が働くと、図２８（ｂ）に示すように、スペーサ１４０１がクッションに当たってしまう。したがって、図２８（ｃ）に示すように、椅子が正規の位置に正確に積み重ねされない限り、スペーサがずれた状態で積み重ねられるという現象が起きやすい。
【００３２】
これに対し、本発明のスペーサ１４’は、突出縁部４０ｂが片側に形成された非対称形状であるため、積み重ね作業の際、突出縁部４０ｂが左右座部フレーム５の中心軸線より外寄りになるようにセットしやすくなり、図２７に示すような誘い込み現象により正常位置に積み重ねることが容易である。
【００３３】
上記第１および第２実施形態では、スペーサ１４、１４’の外側に張出した突出縁部１５ｂ、４０ｂを形成した構成を示したが、突出縁部１５ｂ、４０ｂをスペーサ１４、１４’の内側に張出した構成でもよい。
【００３４】
以上のように、本発明の椅子は、スペーサ１４、１４’の一側部に張出した突出縁部１５ｂ、４０ｂを設けることにより、多少左右にずれた状態で積み重ねしても、突出縁部１５ｂ、４０ｂの誘導作用により正規の位置に戻され、これにより、ずれをなくして体裁よく積み重ねることができ、多数の椅子を積み重ねても崩れることを防止することができる。また、突出縁部１５ｂ、４０ｂが左右座部フレーム５の外側面又は内側面に当接することにより、積み重ね時のがたつきを防止することができる。
【符号の説明】
【００３５】
１  椅子
３  後脚フレーム
５  左右座部フレーム
６  前脚フレーム
１３  座クッション
１４、１４’  スペーサ
１５ｂ、４０ｂ  突出縁部
２２、４１  当接面
２２a、４１a  テーパ面
２４、３９  平坦面
【図１】
0005669564.tif 000002
【図２】
0005669564.tif 000003
【図３】
0005669564.tif 000004
【図４】
0005669564.tif 000005
【図５】
0005669564.tif 000006
【図６】
0005669564.tif 000007
【図７】
0005669564.tif 000008
【図８】
0005669564.tif 000009
【図９】
0005669564.tif 000010
【図１０】
0005669564.tif 000011
【図１１】
0005669564.tif 000012
【図１２】
0005669564.tif 000013
【図１３】
0005669564.tif 000014
【図１４】
0005669564.tif 000015
【図１５】
0005669564.tif 000016
【図１６】
0005669564.tif 000017
【図１７】
0005669564.tif 000018
【図１８】
0005669564.tif 000019
【図１９】
0005669564.tif 000020
【図２０】
0005669564.tif 000021
【図２１】
0005669564.tif 000022
【図２２】
0005669564.tif 000023
【図２３】
0005669564.tif 000024
【図２４】
0005669564.tif 000025
【図２５】
0005669564.tif 000026
【図２６】
0005669564.tif 000027
【図２７】
0005669564.tif 000028
【図２８】
0005669564.tif 000029